(57)【要約】【課題】即席食品容器本体の開口部と蓋とを剥離可能な熱接着部で密封した即席食品収納容器の蓋をいったん開口し、お湯を注ぎ入れた後再度蓋を閉じるが、閉じた蓋から湯気などが逃げないようにした即席食品容器を提供する。【解決手段】簡単に湯を入れて食する、又は湯戻しをして食する即席食品を収納し、開口周縁に鍔部を有する容器本体と剥離可能な熱接着部を有し、前記容器本体の開口を覆う蓋とを備える即席食品容器において、蓋の外周部分の所定領域に前記本体の開口周縁鍔部より外方に突出する突出片を隣り合う突出片とは連続して複数個蓋と一体的に設け、この突出片は前記本体開口周縁の鍔部の裏面に折り曲げ自在とし、蓋押さえ片とすることでお湯を注ぎ入れた後蓋をしても湯気が容器から逃げず冷めにくくすることが出来ることを特徴とする即席食品容器。【選択図】図３
2011162213.tif 000002
【特許請求の範囲】
【請求項１】
簡単に湯を入れて食する、又は湯戻しをして食する即席食品を収納し、開口周縁に鍔部を有する容器本体と剥離可能な熱接着部を有し、前記容器本体の開口を覆う蓋とを備える即席食品容器において、蓋の外周部分の所定領域に前記本体の開口周縁鍔部より外方に突出する突出片を隣り合う突出片とは連続して複数個蓋と一体的に設け、前記連続する突出片は前記本体開口周縁の鍔部の裏面に折り曲げ自在とし、蓋押さえ片としたことを特徴とした即席食品容器。
【請求項２】
前記本体の開口部より外方に突出する複数の突出片を蓋と一体的に設けた蓋の内面にアルミニウムはく部を設けたことを特徴とした請求項１記載の即席食品容器。
【請求項３】
前記本体の開口部より外方に突出する複数の突出片を蓋と一体的に設け、この突出片に複数の切り込み部を設けた請求項１又は２記載の即席食品容器。
【請求項４】
前記容器本体は、上面視ハート型に形成したことを特徴とする請求項１〜３記載の即席食品容器。
【請求項５】
前記突出片の内面で且つ前記本体開口周縁の鍔部裏面に折り曲げられる部分に弱粘着部を設けた請求項１〜４記載の即席食品容器。
【発明の詳細な説明】
【技術分野】
【０００１】
本発明は、お湯を入れて食する、又は湯戻しをして食する即席食品容器の蓋を剥離可能な熱接着部を一旦捲り剥がし、湯を入れて再度蓋をした時、蓋が浮き湯気などが逃げないよう蓋押さえ片を設けた即席食品容器に関する。
【背景技術】
【０００２】
特許文献１には、一方の開口部にフランジ部を備えた有底状容器本体と蓋材とを剥離可能な熱接着部で密封した即席食品等を収納する容器において、前記蓋材に設けた第１摘まみ舌片を摘んで捲り上げることにより前記蓋材の表面側から設けられた化粧用ハーフカットと前記蓋材の裏面側から設けられた切欠部形成用ハーフカットとからなる湯切口形成用ハーフカットと
【０００３】
前記第１摘まみ舌片の両付け根部近傍に設けられた切刃と前記第１摘まみ舌片内に設けられた角舌弧状切り込み線とが協働して少なくとも２つの独立した湯切口を形成するように構成したことを特徴とする即席食品等の容器であるが、
【０００４】
お湯を注ぎ入れるため即席食品容器の蓋を略半周部分を捲り上げ、お湯を注ぎ入れた後蓋を容器本体に被せ戻すが、略半周部分に摘み舌片は一箇所であり、蓋材の周端縁に第２摘み舌片を設けているが、第１摘み片とは対向する側に設けており、第１摘み片とは連続して設けていないため略半周部分捲り上げてお湯を入れ再度蓋を閉じる場合蓋押さえ片としての役にはたっていない。又、お湯を入れた後、湯気などが出ないように摘み舌片はなっておらず、摘み舌片の左右は軽く浮いた状態で不便であった。
【０００５】
又、摘み舌片は即席食品容器の蓋を熱接着部から剥離するために設けられたものであり、即席食品容器の蓋を浮き上がらさないで湯気が逃げないようになっておらず、又お湯を冷めにくくするようになっていない。
【０００６】
そのため、即席食品容器にお湯を注ぎ入れた後、鍋の蓋、お皿、身近にある本などを即席食品容器の蓋の上に置き湯気が逃げず、お湯が冷めないようにしなければならない不便さがあった。
【先行技術文献】
【特許文献】
【０００７】
【特許文献１】特許２００１−６３７７３公報
【発明の概要】
【発明が解決しようとする課題】
【０００８】
即席食品容器は種種提案されているが、本発明は、即席食品容器の蓋を容器本体の開口周縁鍔部より外方に突出する突出片を隣り合う突出片とは連続して複数個蓋と一体的に設け、この突出片は前記本体開口周縁の鍔部の裏面に折り曲げ自在とし、蓋押さえ片とすることにより開口した蓋を再度閉じる時、他の物を使わず閉じることが出来、湯気を逃がさず食品を冷めにくくすることを技術課題とする。
【課題を解決するための手段】
【０００９】
簡単に湯を入れて食する、又は湯戻しをして食する即席食品を収納し、開口周縁に鍔部６を有する容器本体１と剥離可能な熱接着部５を有し、前記容器本体１の開口を覆う蓋２とを備える即席食品容器１において、蓋の外周部分の所定領域に前記本体の開口周縁鍔部より外方に突出する突出片を隣り合う突出片とは連続して複数個蓋と一体的に設け、この突出片は前記本体開口周縁の鍔部の裏面に折り曲げ自在とし、蓋押さえ片とした即席食品容器。
【００１０】
又、突出片の内面で且つ前記本体開口周縁の鍔部裏面に折り曲げ自在となる部分に弱粘着部を設けた即席食品容器。
【発明の効果】
【００１１】
本発明は、簡単に湯を入れて食する、又は湯戻しをして食する即席食品を収納し、開口周縁に鍔部を有する容器本体と剥離可能な熱接着部を有し、前記容器本体の開口を覆う蓋とを備える即席食品容器において、蓋の外周部分の所定領域に前記本体の開口周縁鍔部より外方に突出する突出片を隣り合う突出片とは連続して複数個蓋と一体的に設け、この突出片は前記本体開口周縁の鍔部の裏面に折り曲げ自在とし、蓋押さえ片とすることにより、開口した蓋を再度閉じ、即席食品を食することが出来るよう湯気を逃がさず食品を冷めにくくするために他の物、例えば今迄のように鍋の蓋、お皿、身近にある本などを即席食品容器の蓋の上に蓋押さえとして乗せていたが、その必要がなく、お湯さえあればどのような場所でも食することができる効果がある。
【００１２】
又、蓋の裏面にアルミニウムはく部を設けることにより、アルミニウムはくは蓋の押さえ片を折り曲げれば、折り曲げた状態を保つ効果がある。
【００１３】
又、突出片の内面で且つ前記本体開口周縁の鍔部裏面に折り曲げ自在となる部分に弱粘着部を設けることにより、開口した蓋を再度閉じる時、他の物を使わず閉じることが出来、より湯気を逃がさず食品を冷めにくくする効果がある。
【００１４】
又、即席食品容器本体の形状をハート型にすることにより、可愛らしいデザイン、アニメなども印刷しやすく女性客から支持されやすい容器になる効果がある。又、即席食品容器本体をハート型にすることによりハート型形状のＶ辺は即席食品を食する場合、汁が一点に集まりやすく女性の口にとって飲みやすいという効果もあり、湯戻しをして食する即席食品の場合も湯が一点に集まりやすくＶ辺を湯戻し部とすることも出来二重の効果を奏する。
【図面の簡単な説明】
【００１５】
【図１】図１は、即席食品容器の蓋の押さえ片を摘み舌片兼蓋押さえ片と同形状とした一実施形態を示す平面図である。
【図２】図２は、即席食品容器の蓋の押さえ片を摘み舌片兼蓋押さえ片と同形状とし、全体に設けた一実施例を示す平面図である。
【図３】図３は、即席食品容器の蓋の押さえ片を摘み舌片兼蓋押さえ片と同形状とし略半周部分を開口した状態の一実施例を示す斜視図である。
【図４】図４は、即席食品容器の蓋の押さえ片を摘み舌片兼蓋押さえ片と同形状とし、摘み舌片兼蓋押さえ片と蓋押さえ片内面に弱粘着部を設け、略半周部分を開口した状態の一実施例を示す斜視図である。
【図５】図５は、即席食品容器の蓋の押さえ片に切り込み部を複数設けた一実施形態を示す平面図である。
【図６】図６は、即席食品容器の蓋の押さえ片を全体に設け切り込み部を複数設けた一実施形態を示す平面図である。
【図７】図７は、即席食品容器の蓋の押さえ片を隣り合う二面に設けた一実施例を示す斜視図である。
【図８】図８は、即席食品容器の蓋の押さえ片を隣り合う二面に設け、略半周部分を開口した状態の一実施例を示す斜視図である。
【図９】図９は、即席食品容器の蓋の押さえ片を摘み舌片兼蓋押さえ片と同形状とし、蓋の形状をハート型にした一実施形態を示す平面図である。
【図１０】図１０は、即席食品容器の蓋の押さえ片に切り込み部を複数設け、蓋の形状をハート型にした一実施形態を示す平面図である。
【図１１】図１１は、即席食品容器の蓋の押さえ片に切り込み部を複数設け、容器本体をハート型にし、蓋の形状もハート型にした一実施例を示す斜視図である。
【発明を実施するための形態】
【００１６】
（実施例）
【００１７】
本発明は、簡単に湯を入れて食する、又は湯戻しをして食する即席食品を収納し、開口周縁に鍔部６を有する容器本体１と剥離可能な熱接着部５を有し、前記容器本体１の開口を覆う蓋２とを備える即席食品容器１において、蓋２の外周部分の所定領域に前記本体１の開口周縁鍔部６より外方に突出する突出片４を隣り合う突出片４とは連続して複数個蓋２と一体的に設け、この突出片４は前記本体開口周縁の鍔部６の裏面に折り曲げ自在とし、蓋押さえ片４とすることにより、開口した蓋２を再度閉じ、即席食品を食することが出来るよう湯気を逃がさず食品を冷めにくくするために他の物、例えば今迄のように鍋の蓋、お皿、身近にある本などを即席食品容器１の蓋２の上に蓋押さえとして乗せていたが、その必要がなく、お湯さえあればどのような場所でも食することができる。
【００１８】
又、蓋２の裏面にアルミニウムはく部７を設けることにより、アルミニウムはくは蓋２の突出片４を折り曲げれば、折り曲げた状態を保つことができる。
【００１９】
又、突出片４の内面で且つ前記本体開口周縁の鍔部６裏面に折り曲げ自在となる部分に弱粘着部１２を設けることにより、開口した蓋２を再度閉じる時、他の物を使わず閉じることが出来、より湯気を逃がさず食品を冷めにくくすることができる。
【００２０】
又、容器本体１０をハート型にし、蓋２もハート型にすることにより可愛らしいデザイン、アニメなども印刷しやすく女性客から支持されやすい容器になる効果がある。又、容器本体１０をハート型にすることによりハート型形状のＶ辺１１は即席食品を食する場合汁が一点に集まりやすく女性の口にとって飲みやすいという効果もある。
【００２１】
又、湯戻しをして食する即席食品の場合Ｖ辺１１を湯戻し部とする湯切口にすればお湯が一点に集まりお湯を捨てやすくなる。その場合摘み舌片兼蓋押さえ片３、突出片４はそれ以外の蓋２周縁部に設け、なるべく湯切口から離れた位置に設けることが好ましい。
【００２２】
又、即席食品容器１、蓋２に関して即席食品は素材、内容、デザインなどによって異なる為、素材についてこだわるものではない。
【００２３】
又、所定領域とは蓋２の外周部分全体又は一部のことであり、容器本体１の開口周縁鍔部６より外方に突出する突出片４を隣り合う突出片４とは連続して複数個蓋２と一体的に設けこの突出片４は容器本体１開口周縁の鍔部６の裏面に折り曲げ自在とし、蓋押さえ片４とすることができる領域のことであり、図３で示している所定領域とはお湯を注ぎ入れるために略半周開口した部分に突出片４を設けた部分のことである。
【符号の説明】
【００２４】
１              即席食品容器
２              蓋
３              摘み舌片兼蓋押さえ片
４              突出片（蓋押さえ片）
５              熱接着部
６              鍔部
７              アルミニウムはく部
８              開口部
９              切り込み部
１０            ハート型即席食品容器
１１            Ｖ辺
１２            弱粘着部
【図１】
2011162213.tif 000003
【図２】
2011162213.tif 000004
【図３】
2011162213.tif 000005
【図４】
2011162213.tif 000006
【図５】
2011162213.tif 000007
【図６】
2011162213.tif 000008
【図７】
2011162213.tif 000009
【図８】
2011162213.tif 000010
【図９】
2011162213.tif 000011
【図１０】
2011162213.tif 000012
【図１１】
2011162213.tif 000013